(57)【特許請求の範囲】
【請求項１】
第１の表示部に表示する第１の画像と第２の表示部に表示する第２の画像とを互いに一部重複させて使用者に観察させる際に、前記第１の画像および第２の画像それぞれにおいてグラデーション処理の対象領域が異なる第１の表示モードおよび第２の表示モードを含む複数の表示モードの切り替えにより、前記第１の画像および第２の画像に対してグラデーション処理を行う処理手段と、
前記第１の表示部および第２の表示部が前記第１の表示モードによりグラデーション処理された前記第１の画像および第２の画像を表示した第１の表示時間情報と、前記第１の表示部および第２の表示部が前記第２の表示モードによりグラデーション処理された前記第１の画像および第２の画像を表示した第２の表示時間情報とを含む、複数の表示時間情報を取得する取得手段と、
前記複数の表示時間情報のうち、最も短い表示時間に対応する表示モードを、前記第１の画像及び第２の画像を表示する表示モードとして決定する決定手段と、
を備えることを特徴とする情報処理装置。
【請求項２】
前記処理手段によりグラデーション処理された第１の画像および第２の画像が前記第１の表示部および第２の表示部に表示された表示時間を計測する計測手段と、
前記計測手段により計測された表示時間を、グラデーション処理が実行された表示モードに対応する表示時間に加算して保存する保存手段と、
をさらに備えることを特徴とする請求項１に記載の情報処理装置。
【請求項３】
前記情報処理装置は頭部装着型表示装置であり、
使用者への前記頭部装着型表示装置の装着を検知する検知手段をさらに備え、
前記取得手段は、前記装着が検知された場合に、前記複数の表示時間情報の取得を開始することを特徴とする請求項１又は２に記載の情報処理装置。
【請求項４】
前記情報処理装置は頭部装着型表示装置であり、
使用者からの前記頭部装着型表示装置の取り外しを検知する検知手段をさらに備え、
前記保存手段は、前記取り外しが検知された場合に、前記計測手段により計測された表示時間を保存することを特徴とする請求項２に記載の情報処理装置。
【請求項５】
前記決定手段は、前記複数の表示時間情報と、前記第１の画像および第２の画像の輝度値とに基づいて、前記第１の画像及び第２の画像に対してグラデーション処理を行う表示モードを決定することを特徴とする請求項２に記載の情報処理装置。
【請求項６】
前記輝度値は、画像全体の領域の輝度値であることを特徴とする請求項５に記載の情報処理装置。
【請求項７】
前記輝度値は、前記グラデーション処理の対象領域を含む画像の一部の領域の輝度値であることを特徴とする請求項５に記載の情報処理装置。
【請求項８】
前記第１の表示モードにより前記第１の画像に対してグラデーション処理される対象領域と、前記第２の表示モードにより前記第２の画像に対してグラデーション処理される対象領域とは、前記使用者により観察される画像において同一の領域であり、
前記第１の表示モードにより前記第２の画像に対してグラデーション処理される対象領域と、前記第２の表示モードにより前記第１の画像に対してグラデーション処理される対象領域とは、前記使用者により観察される画像において同一の領域であることを特徴とする請求項１乃至７の何れか１項に記載の情報処理装置。
【請求項９】
情報処理装置の制御方法であって、
処理手段が、第１の表示部に表示する第１の画像と第２の表示部に表示する第２の画像とを互いに一部重複させて使用者に観察させる際に、前記第１の画像および第２の画像それぞれにおいてグラデーション処理の対象領域が異なる第１の表示モードおよび第２の表示モードを含む複数の表示モードの切り替えにより、前記第１の画像および第２の画像に対してグラデーション処理を行う処理工程と、
取得手段が、前記第１の表示部および第２の表示部が前記第１の表示モードによりグラデーション処理された前記第１の画像および第２の画像を表示した第１の表示時間情報と、前記第１の表示部および第２の表示部が前記第２の表示モードによりグラデーション処理された前記第１の画像および第２の画像を表示した第２の表示時間情報とを含む、複数の表示時間情報を取得する取得工程と、
決定手段が、前記複数の表示時間情報のうち、最も短い表示時間に対応する表示モードを、前記第１の画像及び第２の画像を表示する表示モードとして決定する決定工程と、
を有することを特徴とする情報処理装置の制御方法。
【請求項１０】
コンピュータを、請求項１乃至８の何れか１項に記載の情報処理装置として機能させるためのプログラム。
【発明の詳細な説明】
【技術分野】
【０００１】
本発明は、情報処理装置、情報処理装置の制御方法およびプログラムに関し、特にＨＭＤ（Ｈｅａｄ Ｍｏｕｎｔｅｄ Ｄｉｓｐｌａｙ）を用いる画像処理技術に関する。
【背景技術】
【０００２】
近年、現実世界と仮想世界をリアルタイムにシームレスに融合させる技術として複合現実感、いわゆるＭＲ（Ｍｉｘｅｄ Ｒｅａｌｉｔｙ）技術が知られている。ＭＲ技術の１つに、ビデオシースルー型ＨＭＤ（Ｈｅａｄ Ｍｏｕｎｔｅｄ Ｄｉｓｐｌａｙ）を利用して、ＨＭＤ使用者の瞳位置から観察される被写体と略一致する被写体をビデオカメラなどで撮像し、その撮像画像にＣＧ（Ｃｏｍｐｕｔｅｒ Ｇｒａｐｈｉｃｓ）を重畳表示した画像をＨＭＤ使用者が観察できる技術が知られている。
【０００３】
ビデオシースルー型ＨＭＤでは、ＣＣＤ等の電荷結合素子により被写体を撮像して該被写体のデジタル画像データを得るとともに、ＣＧ画像を重畳したＭＲ画像（複合現実画像）を液晶や有機ＥＬ等の表示デバイスを介して装着者に表示する構成になっている。
【０００４】
また、ＨＭＤ等に用いる画像表示装置としては、自然な観察を実現しつつ臨場感を増すために、広画角の画像提示が望まれている。広画角の画像提示を達成する技術として、左右の眼に異なる画角の映像を表示させて、一部の画角のみ左右の眼で重なるようにすることで、左右の眼に同じ画角の映像を表示させる場合よりも広画角の画像が観察できるようにした画像表示装置が知られている。
【０００５】
左右の眼に異なる画角の映像を表示させて、一部の画角のみ左右の眼で重なるようにする場合、単眼領域と両眼領域の境界部が目立ってしまい自然な観察ができない。この現象は、片眼には画像が表示されるが、もう片方の眼には画像が表示されずパネルの枠などの黒部（図１５参照）が見えてしまうことによる、左右の眼の視野闘争により生じてしまう。
【０００６】
これに対し、特許文献１に記載のＨＭＤでは、所定の位置から画像の明るさを所定の減少カーブで低下させることで黒部を目立たないようにする技術を開示している。
【先行技術文献】
【特許文献】
【０００７】
【特許文献１】特開２００３−３３７２９９号公報
【発明の概要】
【発明が解決しようとする課題】
【０００８】
しかしながら、特許文献１に開示の技術では、黒部を目立たないようにしているが、ＨＭＤに有機ＥＬパネル等を用いている場合、常に同じ個所に対して明るさの減少カーブを施しているため、表示部が焼きつきやすくなっていた。
【０００９】
本発明は、上記の課題に鑑みてなされたものであり、表示部を焼きつき難くする技術を提供することを目的とする。
【課題を解決するための手段】
【００１０】
上記の目的を達成する本発明に係る情報処理装置は、
第１の表示部に表示する第１の画像と第２の表示部に表示する第２の画像とを互いに一部重複させて使用者に観察させる際に、前記第１の画像および第２の画像それぞれにおいてグラデーション処理の対象領域が異なる第１の表示モードおよび第２の表示モードを含む複数の表示モードの切り替えにより、前記第１の画像および第２の画像に対してグラデーション処理を行う処理手段と、
前記第１の表示部および第２の表示部が前記第１の表示モードによりグラデーション処理された前記第１の画像および第２の画像を表示した第１の表示時間情報と、前記第１の表示部および第２の表示部が前記第２の表示モードによりグラデーション処理された前記第１の画像および第２の画像を表示した第２の表示時間情報とを含む、複数の表示時間情報を取得する取得手段と、
前記複数の表示時間情報のうち、最も短い表示時間に対応する表示モードを、前記第１の画像及び第２の画像を表示する表示モードとして決定する決定手段と、
を備えることを特徴とする。
【発明の効果】
【００１１】
本発明によれば、表示部を焼きつき難くすることが可能となる。
【図面の簡単な説明】
【００１２】
【図１】本発明の実施形態１に係る画像表示システムの構成例を示す図。
【図２】本発明の実施形態１に係る画像表示システムの概略ブロック図。
【図３】本発明の実施形態１に係る画像処理部の詳細ブロック図。
【図４】本発明の実施形態１に係る各表示モードにおけるグラデーションのパターン図。
【図５】本発明の実施形態１に係るグラデーション処理の実行を決定するタイミングパターン表。
【図６】本発明の実施形態１に係る表示モード毎の表示時間の例を示す表。
【図７】本発明の実施形態１に係る表示モードの変更時の処理手順を示すフローチャート。
【図８】本発明の実施形態１に係る表示部消灯時の処理手順を示すフローチャート。
【図９】本発明の実施形態２に係る画像処理部の詳細ブロック図。
【図１０】本発明の実施形態２に係る輝度平均値を算出する領域の例を示した図。
【図１１】本発明の実施形態２に係る画面輝度平均値の範囲毎に重みづけを行う例を示す表。
【図１２】本発明の実施形態２に係るグラデーション領域毎の画面表示時間と輝度平均の重みづけを加味した表。
【図１３】本発明の実施形態２に係る表示モードの変更時の処理手順を示すフローチャート。
【図１４】本発明の実施形態２に係る表示部の消灯時の処理手順を示すフローチャート。
【図１５】ＨＭＤを観察した時に頭の中で合成された画像を示す図。
【発明を実施するための形態】
【００１３】
以下、図面を参照しながら実施形態を説明する。なお、以下の実施形態において示す構成は一例に過ぎず、本発明は図示された構成に限定されるものではない。
【００１４】
（実施形態１）
＜システム構成＞
図１は、本発明の実施形態１に係る画像表示システムの構成例を示す図である。図１において、画像表示システムは、頭部装着型表示装置（以下、ＨＭＤ）１１０１（情報処理装置）、コントローラ１１０２、及び、表示部１１０３を有する画像処理装置１１０４を有する。
【００１５】
ＨＭＤ１１０１は、画像表示部、コントローラ１１０２と通信する通信部、及び、それらを制御する制御部を備えており、使用者の頭部に装着される。画像表示部は、画像処理装置１１０４で生成した画像を取得して表示する。画像表示部は、使用者のそれぞれの眼の前に光学系を含む構成で取付けられている。
【００１６】
ＨＭＤ１１０１は、ＷＬＡＮ（Ｗｉｒｅｌｅｓｓ  Ｌｏｃａｌ  Ａｒｅａ  Ｎｅｔｗｏｒｋ）やＷＰＡＮ（Ｗｉｒｅｌｅｓｓ  Ｐｅｒｓｏｎａｌ  Ａｒｅａ  Ｎｅｔｗｏｒｋ）のような、小規模ネットワークを構成する無線接続されたコントローラ１１０２と通信を行う。ＨＭＤ１１０１とコントローラ１１０２との間は無線による通信に限らず、有線通信方式を利用してもよい。
【００１７】
コントローラ１１０２と有線接続された画像処理装置１１０４は、画像を再生する再生部と、再生する画像を格納しておく格納部とを有する。画像処理装置１１０４は、コントローラ１１０２を介してＨＭＤ１１０１と通信を行う。また、画像処理装置１１０４は、キーボードなどを備え、データや命令等を入力する。入力されたデータの表示や命令の結果等は、表示部１１０３に表示される。
【００１８】
図１では、画像処理装置１１０４とコントローラ１１０２とを別々のハードウェア構成としているが、コントローラ１１０２の持つ機能をすべて画像処理装置１１０４内に実装して、一体化することや、画像処理装置１１０４とコントローラ１１０２がそれぞれ有する機能を集め、専用の画像処理装置を構成することも可能である。
【００１９】
＜機能構成＞
図２は、図１に示した画像表示システムを構成する画像処理装置及びＨＭＤの機能ブロック図である。ＨＭＤ１２０１は図１のＨＭＤ１１０１に対応しており、外界を撮像する撮像部Ｌ１２０２／Ｒ１２０３、画像を表示する表示部Ｌ１２０４／Ｒ１２０５を備えている。また、表示する画像に対して画像処理を行う画像処理部１２０６、画像や制御信号を送受信するＩ／Ｆ通信ユニット１２０７、ＨＭＤ１２０１を制御する制御部１２０８、ＨＭＤ１２０１の装着又は取り外しを検知する検知部１２０９、その他不図示の機能部を備えている。
【００２０】
画像処理装置１２１０は図１の画像処理装置１１０４に対応しており、ＰＣ（Ｐｅｒｓｏｎａｌ Ｃｏｍｐｕｔｅｒ）やＷＳ（Ｗｏｒｋｓｔａｔｉｏｎ）などＨＭＤ１２０１とは異なる外部の装置で構成されている。画像処理装置１２１０は、Ｉ／Ｆ通信ユニット１２１１、位置姿勢取得部１２１２、ＣＧ描画部１２１３、コンテンツＤＢ１２１４、及びその他不図示の機能部を備えている。
【００２１】
Ｉ／Ｆ通信ユニット１２１１は、画像や制御信号等を送受信する。位置姿勢取得部１２１２は、ＨＭＤ１２０１から受信した撮像画像からＨＭＤ１２０１の位置姿勢を算出して取得する。ＣＧ描画部１２１３は、コンテンツＤＢ１２１４に格納されているＣＧ画像を、撮像部Ｌ１２０２、Ｒ１２０３で撮像した撮像画像に重畳する。コンテンツＤＢ１２１４は、仮想画像のＣＧコンテンツを格納している。
【００２２】
本実施形態ではＨＭＤ１２０１から画像処理装置１２１０へ撮像画像を送り、画像処理装置１２１０で位置姿勢の算出を行い、仮想画像のＣＧを撮像画像に重畳しているが、本構成に限定されるものではない。例えば、位置姿勢取得部１２１２をＨＭＤ１２０１に搭載して、ＨＭＤ１２０１の位置姿勢情報を画像処理装置１２１０へ送信し、画像処理装置１２１０からＨＭＤ１２０１へ仮想画像のＣＧ画像のみを送り、ＨＭＤ１２０１の中で撮像画像とＣＧ画像とを重畳する構成にしてもよい。
【００２３】
上述の構成において、ＨＭＤ１２０１の撮像部Ｌ１２０２、Ｒ１２０３で撮像した外界の画像はＩ／Ｆ通信ユニット１２０７を介して画像処理装置１２１０へ送られる。
【００２４】
画像処理装置１２１０の位置姿勢取得部１２１２は、受信した撮像画像から、ＨＭＤ１２０１の位置姿勢を算出する。ＣＧ描画部１２１３は位置姿勢取得部１２１２で算出したＨＭＤ１２０１の位置姿勢に基づいてＣＧ画像を描画し、当該ＣＧ画像を撮像部Ｌ１２０２、Ｒ１２０３で撮像した撮像画像に重畳し、左眼用、右眼用それぞれの表示画像を生成する。その後、Ｉ／Ｆ通信ユニット１２１１を介してＨＭＤ１２０１へ生成した画像を送信する。
【００２５】
ＨＭＤ１２０１は、画像処理装置１２１０から受信した左眼用、右眼用それぞれの画像を画像処理部１２０６へ送る。画像処理部１２０６で左眼用、右眼用それぞれの表示画像に対してグラデーション処理等の画像処理を行った後、処理された画像を表示部Ｌ１２０４、Ｒ１２０５により表示する。以上の構成により、ＨＭＤ１２０１を装着することにより、画像処理装置１２１０で描画したＣＧ画像と撮像画像との重畳画像を観察することができる。
【００２６】
＜画像処理部の構成＞
図３は、ＨＭＤ１２０１の画像処理部１２０６の詳細ブロック図であり、本実施形態における表示画像に対してグラデーション処理を行う機能ブロックについて特化して記載している。グラデーション補正部Ｌ１３０１、Ｒ１３０２は、Ｉ／Ｆ通信ユニット１２０７から受け取った左眼用、右眼用それぞれの表示画像に対して第１の表示モードまたは第２の表示モードによりグラデーション処理を行い、処理結果を表示部Ｌ１２０４（第１の表示部）、Ｒ１２０５（第２の表示部）へ送る。このようにして、表示部Ｌ１２０４と表示部Ｒ１２０５とには、それぞれ一部の領域で同一の画像が表示され、その領域が左右の眼で一部重複して使用者に観察されるように構成されている。
【００２７】
グラデーション決定部１３０３は、グラデーション補正部Ｌ１３０１、Ｒ１３０２で行うグラデーション処理を、第１の表示モードまたは第２の表示モードのどちらで行うか決定する。データ保存部１３０４は、各表示モードでグラデーション処理を行った累積時間を保存する。タイマー部１３０５は、グラデーション処理を行った時間をカウントする。
【００２８】
＜グラデーション処理＞
図４（ａ）−図４（ｂ）は、本実施形態に係る各表示モードによりグラデーション処理を行った領域の一例を示す図である。図４（ａ）は第１の表示モードにより、グラデーション処理を行った画像を表示部Ｌ１２０４、Ｒ１２０５に表示した図である。図４（ｂ）は、第２の表示モードにより、グラデーション処理を行った画像を表示部Ｌ１２０４、Ｒ１２０５に表示した図である。
【００２９】
図４（ａ）のように第１の表示モードにより表示した場合でも、図４（ｂ）のように第２の表示モードにより表示した場合でも、ＨＭＤ使用者が両眼で表示部Ｌ１２０４、Ｒ１２０５を見ると黒部が目立たない状態で見ることができる。
【００３０】
本実施形態において、第１の表示モードでも第２の表示モードでも、左右両眼で見る画像において、グラデーション処理される対象領域に変わりはない。ただし、グラデーション処理される対象領域のうち、右側の領域については、第１の表示モードでは、左眼用の表示部Ｌ１２０４の画像に対してグラデーション処理を行う。一方、第２の表示モードでは、右眼用の表示部Ｒ１２０４の画像に対してグラデーション処理を行う。
【００３１】
また、グラデーション処理される対象領域のうち、左側の領域については、第１の表示モードで、右眼用の表示部Ｒ１２０４の画像に対してグラデーション処理を行う。一方、第２の表示モードでは、左眼用の表示部Ｌ１２０４の画像に対してグラデーション処理を行う。
【００３２】
すなわち、第１の表示モードで左眼用の表示部Ｌ１２０４の画像に対してグラデーション処理される対象領域と、第２の表示モードで右眼用の表示部Ｒ１２０４の画像に対してグラデーション処理される対象領域とは、左右両眼で見る画像において同じ領域である。また、第１の表示モードで右眼用の表示部Ｒ１２０４の画像に対してグラデーション処理される対象領域と、第２の表示モードで左眼用の表示部Ｌ１２０４の画像に対してグラデーション処理される対象領域とは、左右両眼で見る画像において同じ領域である。
【００３３】
以上のように、本実施形態は、左眼用の表示部Ｌ１２０４、右眼用の表示部Ｒ１２０４のそれぞれにおいて、第１の表示モードと第２の表示モードとで、グラデーション処理の対象領域を異ならせるものである。これにより常に同じ領域に対してグラデーション処理を行った画像を表示するようなことを行わないため、表示部Ｌ１２０４、Ｒ１２０５の焼きつきを防止あるいは低減することが可能となる。なお、ここでは、第１の表示モードと第２の表示モードの２つを例示しているが、その他の表示モードを含む複数の表示モードによりグラデーション処理を行えるようにしてもよい。
【００３４】
次に、図５及び図６を参照しながら、表示モードを切り替えて、各表示部でグラデーション処理の領域を変更する方法について説明を行う。まず、図５は図４（ａ）及び図４（ｂ）で示したようなグラデーション処理を行う領域を変更するタイミングの例を記載した表である。項番１は使用者がＨＭＤ１２０１を装着する時を示しており、ＨＭＤ１２０１に搭載されている検知部１２０９によって使用者へのＨＭＤ１２０１の装着を検知した時のタイミングである。項番２は表示部Ｌ１２０４、Ｒ１２０５がＯＦＦ→ＯＮに変わったタイミングである。
【００３５】
変更するタイミングは図５の表に記載の全てのタイミングで変更するようにしてもよいし、いずれか１つのタイミングであってもよい。図５に記載したタイミング例は、何れも使用者がＨＭＤ１２０１を使用中にグラデーション処理の領域を切り替えているのではなく、使用開始前、または表示部Ｌ１２０４、Ｒ１２０５に画像を表示する処理を開始する時にグラデーション処理の領域を切り替えることを示している。ＨＭＤ１２０１を使用中にグラデーション処理の領域を切り替るようにしてもよいが、使用中に違和感が発生しないよう、本実施形態のようにＨＭＤ１２０１の使用中以外のタイミングで切り替えることが好適である。なお、グラデーション処理の領域を切り替るタイミングとしては、図５に記載のタイミング以外のタイミングで切り替えを行ってもよい。
【００３６】
図６は、データ保存部１３０４に保存されているデータの例を示しており、各表示モードで画像を表示した時間を格納している。なお、図６は、図４（ａ）及び図４（ｂ）に記載の第１の表示モードと第２の表示モードの例を記載している。図６の例によると、図４（ａ）の第１の表示モードで画像を表示した時間は１０分、図４（ｂ）の第２の表示モードで画像を表示した時間は２０分である。
【００３７】
図５で説明したタイミングで表示モードを変更する時は、まず図６のテーブルを参照する。次に、各表示モードで表示される時間が同じ表示時間となるように、次の表示モードを決定する。図６の例では、図４（ａ）の第１の表示モードの表示時間の方が図４（ｂ）の第２の表示モードの表示時間よりも短いため、次の表示モードを図４（ａ）の第１の表示モードに決定する。
【００３８】
＜処理＞
図７は、本実施形態における画像処理部１２０６が表示モードを変更する時の処理手順を示すフローチャートである。本実施形態では、表示モード変更のタイミングとしては図５で説明したタイミングを用いる。
【００３９】
Ｓ１７０１において、グラデーション決定部１３０３は、データ保存部１３０４から、グラデーション処理を各表示モードで行った複数の表示時間を表示時間情報として取得する。
【００４０】
Ｓ１７０２において、グラデーション決定部１３０３は、Ｓ１７０１で取得した複数の表示時間情報に基づいて、短い方の表示時間に対応する表示モードを決定し、決定結果をグラデーション補正部Ｌ１３０１、Ｒ１３０２へ通知する。Ｓ１７０３において、グラデーション補正部Ｌ１３０１、Ｒ１３０２は、グラデーション決定部１３０３により決定された表示モードに基づいて表示画像に対してグラデーション処理を行う。
【００４１】
Ｓ１７０４において、グラデーション補正部Ｌ１３０１、Ｒ１３０２は、タイマー部１３０５に対してタイマーの開始を指示しグラデーション処理を行った画像の表示時間の計測を開始する。Ｓ１７０５において、グラデーション補正部Ｌ１３０１、Ｒ１３０２は、表示部Ｌ１２０４、Ｒ１２０５に対して表示する画像を出力し、表示部Ｌ１２０４、Ｒ１２０５により画像を表示する。
【００４２】
図８は、本実施形態に係る表示部Ｌ１２０４、Ｒ１２０５が画像の表示を終了する時の処理手順を示すフローチャートである。終了タイミングは図５の逆のケースになる。例えば、使用者がＭＲ体験を終え、ＨＭＤ１２０１を取り外す時である。ＨＭＤ１２０１の取り外しは検知部１２０９により検知する。ＨＭＤ１２０１を取り外した時は特に表示部Ｌ１２０４、Ｒ１２０５に画像を表示しておく必要はないため、表示部Ｌ１２０４、Ｒ１２０５の表示を終了（消灯）する。また、ＨＭＤ１２０１の電源をＯＦＦする時も表示部Ｌ１２０４、Ｒ１２０５の表示を終了する。
【００４３】
Ｓ１８０１において、グラデーション補正部Ｌ１３０１、Ｒ１３０２は、タイマー部１３０５から表示時間の情報を取得すると共に、タイマーを停止する。その後、グラデーション補正部Ｌ１３０１、Ｒ１３０２は、グラデーション決定部１３０３に対して取得した時間を通知する。
【００４４】
Ｓ１８０２において、グラデーション決定部１３０３は、データ保存部１３０４から今回実施した表示モードに対応する表示時間の情報を取得し、Ｓ１８０１で取得した時間を加算する。その後、グラデーション決定部１３０３は、加算した表示時間の情報をデータ保存部１３０４へ出力する。
【００４５】
Ｓ１８０３において、データ保存部１３０４は、Ｓ１８０２で受け取った情報に基づいて図６で説明したような管理テーブルを更新する。そして、Ｓ１８０４において、表示部Ｌ１２０４、Ｒ１２０５は、画像表示を終了する。
【００４６】
以上説明したように、本実施形態は、複数の表示部それぞれにおいて、グラデーション処理の対象領域を表示モードによって異ならせるものである。そして、所定のタイミングにおいて、各表示モードにおける表示時間の累計が出来るだけ同じになるように、表示モードを切り替える。これにより、本実施形態では、表示部の焼きつきを防止あるいは低減することが可能となる。
【００４７】
（実施形態２）
実施形態１では、各表示モードの時間が同じになるように、表示モードを切り替える例を説明した。これに対して、本実施形態では、各表示モードの表示時間に加えて、表示部に画像を表示した際の輝度情報に基づいて表示モードを切り替える場合の処理について説明を行う。
【００４８】
図９は、本実施形態に係る画像処理部１２０６の構成例である。図３の構成と比較すると、輝度算出部Ｌ１９０１、Ｒ１９０２が追加されている点が異なる。輝度算出部Ｌ１９０１、Ｒ１９０２は、グラデーション補正部Ｌ１３０１、Ｒ１３０２から受け取った表示画像の輝度平均値を随時算出して、表示部Ｌ１２０４、Ｒ１２０５での画像表示を終了する時に、この輝度平均値をグラデーション決定部１３０３に送る。
【００４９】
ここで、図１０（ａ）及び図１０（ｂ）は、表示画像の中で輝度平均値を算出する領域に関して説明した図である。図１０（ａ）は、グラデーション処理を行う周辺領域に対してのみ輝度平均値を算出する例である。一方、図１０（ｂ）は、画像全体に対して輝度平均値を算出する例である。図１０（ａ）及び図１０（ｂ）のどちらの例を用いてもよいし、グラデーション処理を行う対象領域の一部を含んでいれば、これら以外の方法でもよい。
【００５０】
グラデーション決定部１３０３は、受け取った輝度平均値に対して重み付け値の決定を行い、表示した時間に対して重み付け値を算出してデータ保存部１３０４に渡す。ここで、図１１は、輝度平均値を重み付けするためのテーブルの例である。このテーブルの場合、重み付け値は輝度平均値が０以上５０未満の時は１とし、２００以上２５５以下の時は１．４としている。図１１に示すように、５０毎に０．１ずつ重み付け値を変化させている。また、図１２は、本実施形態に係るデータ保存部１３０４に保存するテーブルの例である。実施形態１の図６と比べると保存する値は表示時間ではなく、時間と重み付け値とを乗算した累積の値となる。
【００５１】
続いて、図１３は、本実施形態に係る表示モードを変更する処理手順を示すフローチャートである。Ｓ２３０１において、グラデーション決定部１３０３は、データ保存部１３０４から、各グラデーションを表示した表示時間×重み付け値の情報を取得する。Ｓ２３０２において、グラデーション決定部１３０３は、Ｓ２３０１で取得した重み付け表示時間の情報に基づいて、小さい方の表示モードを決定し、決定結果をグラデーション補正部Ｌ１３０１、Ｒ１３０２へ通知する。その他の処理は図７の処理と同様であるため説明を省略する。
【００５２】
また、図１４は、本実施形態に係る表示部Ｌ１２０４、Ｒ１２０５が画像の表示を終了する処理手順を示すフローチャートである。Ｓ２４０１において、グラデーション決定部１３０３は、輝度算出部Ｌ１９０１、Ｒ１９０２で算出した輝度平均値を取得する。Ｓ２４０２において、グラデーション決定部１３０３は、Ｓ２４０１で取得した輝度平均値に対応する重み付け値と、Ｓ１８０１で取得した表示時間とに基づいて、重み付け表示時間の算出を行う。
【００５３】
Ｓ２４０３において、グラデーション決定部１３０３は、データ保存部１３０４に保存されている情報を取得し、該当する表示モードに対応する表示時間に対して、Ｓ２４０２で算出した重み付け表示時間を加算する。その他の処理は図８の処理と同様であるため説明を省略する。
【００５４】
以上説明したように、本実施形態では、表示モードを決定する際に画面の輝度値も考慮するため、より表示部の焼きつきを防止又は低減することが可能となる。
【００５５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５６】
１２０１：ＨＭＤ、Ｌ１２０２，Ｒ１２０３：撮像部、Ｌ１２０４，Ｒ１２０５：表示部、１２０６：画像処理部、１２０７：Ｉ／Ｆ通信ユニット、１２０８：制御部、１２０９：検知部、１２１０：画像処理装置、１２１１：Ｉ／Ｆ通信ユニット、Ｌ１３０１，Ｒ１３０２：グラデーション補正部、１３０３：グラデーション決定部、１３０４：データ保存部、１３０５：タイマー部、Ｌ１９０１，Ｒ１９０２：輝度算出部
【図１】
0006725999.tif 000002
【図２】
0006725999.tif 000003
【図３】
0006725999.tif 000004
【図４】
0006725999.tif 000005
【図５】
0006725999.tif 000006
【図６】
0006725999.tif 000007
【図７】
0006725999.tif 000008
【図８】
0006725999.tif 000009
【図９】
0006725999.tif 000010
【図１０】
0006725999.tif 000011
【図１１】
0006725999.tif 000012
【図１２】
0006725999.tif 000013
【図１３】
0006725999.tif 000014
【図１４】
0006725999.tif 000015
【図１５】
0006725999.tif 000016